(57)【特許請求の範囲】
【請求項１】
乳酸エステルを１〜２０重量％と、グリコールエーテルを１〜１０重量％と、陰イオン系界面活性剤を２〜１５重量％と、非イオン系界面活性剤を２〜１５重量％とを、水に分散してなることを特徴とする、洗車機ブラシ洗浄剤
【発明の詳細な説明】
【０００１】
【発明の属する技術分野】
本発明は、門型洗車機に装着された洗車ブラシを洗浄するための、洗浄剤に関するものである。
【０００２】
【従来の技術】
一般に門型洗車機は、門型のフレームの内側に洗車ブラシを取り付け、当該洗車ブラシを回転しながらその内側に自動車を通し、回転する洗車ブラシで自動車を洗浄するものである。
【０００３】
そして当該門型洗車機における洗車ブラシは、ポリエチレン又はポリプロピレンのスプリットヤーンを星形、十字形などに成形し、その先端を細かく裂いたものが使用され、これをシャフトに多数取り付けて円筒状のブラシとしたものが使用されている。
【０００４】
而してこの洗車ブラシで自動車を洗車すると、自動車に付着していたアスファルトや排気ガスに起因する油性の汚れや、ワックス等の頑強な汚れがスプリットヤーンに付着して、汚く見えると共に、これらの汚れが次に洗車する自動車に付着することもあった。
【０００５】
従って、この洗車ブラシに付着した汚れを洗浄する必要があり、通常門型洗車機に使用されるクリーナーやフォームには、これらの汚れに対する洗浄効果があるので、洗車と同時に洗車ブラシをも洗浄するようになっているが、前記ポリエチレンやポリプロピレンはこれらの汚れに対する吸着力が大きいため、十分綺麗に洗浄することができなかった。
【０００６】
そのため洗車機から洗車ブラシを取り外して、これを強力な洗浄剤中に長時間浸漬し、洗浄することも行われている。しかしながらこの方法は、洗浄に長時間を要すると共に、頻繁にブラシの取り付け取り外しを行う必要があり、極めて面倒であった。
【０００７】
【発明が解決しようとする課題】
本発明はかかる事情に鑑みなされたものであって、洗車ブラシを洗車機に装着したままで、容易に且つ綺麗に洗浄することのできる洗浄剤を提供することを目的とするものである。
【０００８】
【課題を解決するための手段】
而して本発明の洗浄剤は、乳酸エステルを１〜２０重量％と、グリコールエーテルを１〜１０重量％と、陰イオン系界面活性剤を１〜１５重量％と、非イオン系界面活性剤を１〜１５重量％とを、水に分散してなることを特徴とするものである。
【０００９】
本発明における乳酸エステルとしては、乳酸メチル、乳酸エチル、乳酸プロピル、乳酸ブチルなどが適当であり、これらを単独で又は二種以上混合して使用することができる。乳酸エステルのアルコール成分は、油分に対する溶解性の点では炭素数が大きい方が好ましいが、過度に大きいと乳酸エステルが固形化するので、炭素数が８以下とするべきである。
【００１０】
乳酸エステルの量は、１〜２０重量％とするべきである。１重量％未満では洗浄効果が不十分であり、２０重量％を超えると水に対する溶解性が低下し、均一な洗浄剤が得られない。
【００１１】
また本発明において使用されるグリコールエーテルとしては、エチレングリコール、プロピレングリコール、ジエチレングリコール又はジプロピレングリコールと、炭素数３〜８のアルキルとのモノ又はジエーテルが適当である。またエチレングリコール又はプロピレングリコールのモノ又はジフェニルエーテルを使用することもできる。これらのうちでも炭素数４〜６のアルキルエーテルが、油汚れに対する溶解性に優れており、特に好ましい。
【００１２】
これらのグリコールエーテルの量は１〜１０重量部とするべきである。１重量％未満では油分に対する十分な溶解性が得られず、また１０重量％を超えると水溶液としての安定性が低下する。
【００１３】
また本発明においては、界面活性剤として、陰イオン系界面活性剤と、非イオン系界面活性剤とを組合わせて使用することが必要である。すなわち、陰イオン系界面活性剤が水溶性に乏しい乳酸エステル及びグリコールエーテルを水に溶解させると共に、非イオン系界面活性剤が前記乳酸エステル及びグリコールエーテルとの相乗作用により、油性の汚れ成分に対して浸透し、膨潤、溶解せしめて強力な洗浄効果を持たらすものと考えられる。
【００１４】
陰イオン系界面活性剤としては、炭素数８〜１７の脂肪酸塩、アルキルベンゼンスルホン酸塩、アルカンスルホン酸塩、アルキルサルフェート塩、アルキルエーテルサルフェート塩などが使用できる。好ましくは、脂肪酸のアミン塩、アルキルベンゼンスルホン酸塩が適当であり、これらを単独で又は二種以上混合して使用することができる。
【００１５】
陰イオン系界面活性剤の添加量は、２〜１５重量％程度が適当である。この陰イオン系界面活性剤は、前記乳酸エステル及びグリコールエーテルを水に溶解することができれば足り、これらの種類や添加量に応じて、水に対して均一に溶解するに十分な量添加すればよい。
【００１６】
また非イオン系界面活性剤としては、炭素数８〜１２のアルキルフェノールエーテルエチレンオキサイド付加物（エチレンオキサイド付加モル数＝３〜１５）、炭素数１２〜１８のアルキルエーテルエチレンオキサイド付加物（エチレンオキサイド付加モル数３〜１５）、炭素数１０〜１４のジメチルアミンオキサイドなどが、一種又は二種以上混合して使用される。
【００１７】
非イオン系界面活性剤の使用量は２〜１５重量％が適当である。２重量％未満では油汚れに対する洗浄力が不十分であり、また１５重量％を超えて使用しても特段の洗浄力の向上は見られない。
【００１８】
本発明の洗浄剤においては、上記各必須成分の他に、必要に応じて増粘剤、防腐剤、防錆剤などを添加することもできる。
【００１９】
【発明の効果】
本発明によれば、門型洗車機における洗車ブラシが汚れたとき、当該洗車ブラシを洗車機に装着したままで本発明の洗浄剤をスプレーなどでブラシに塗布し、数分乃至十数分放置した後水洗することにより、洗車ブラシに付着した油性の汚れやワックスなどを十分に除去することができる。
【００２０】
また水洗のみでは十分に除去できない汚れも、洗浄剤により膨潤して浮上がっているため、洗車操作を行うことにより洗車と同時にブラシも洗われ、汚れは完全に除去される。
【００２１】
従って本発明によればブラシを洗車機に装着したままで短時間で綺麗に洗浄することができ、洗浄のためにブラシを洗車機に着脱する必要がなくまたブラシを洗浄剤に浸漬するためのタンクなども不必要であって、簡単な操作で短時間で洗浄することができる。
【００２２】
【実施例】
［洗浄剤の調製］
表１に示す各実施例及び比較例により、洗浄剤を調製した。
【００２３】
［人工汚れの調製］
下記組成により汚れ成分を調製した。
カーボンブラック            １０重量部
ディーゼルオイル            １０重量部
大豆油                        ２重量部
ケロシン                  ５００重量部
【００２４】
［洗浄性試験］
上記汚れ成分をポリプロピレンのフィルムに均一に噴霧して塗布し、これを５０℃で２０分間加熱して固着させた。次いでそのフィルムを３ｃｍ×８ｃｍに裁断して試験片とし、これを各実施例及び比較例の洗浄液中に浸し、マグネットスターラーで撹拌しながら５分間洗浄した。
【００２５】
各実施例及び比較例について、フィルムに付着した人工汚れの除去率を測定し、その結果を洗浄率として表１に示す。
【００２６】
【表１】
0003574253.tif 000002
［実地試験］
実際に相当期間使用してブラシが汚れた門型洗車機について、サイドブラシに片側ずつ、実施例３及び比較例３の洗浄剤をスプレーにより塗布し、１０分間放置した後水洗して、ブラシの汚れの除去の状況を目視により観察した。
【００２７】
［実地試験結果］
実施例と比較例の洗浄剤を使用したものを比較したところ、前者は後者に比べてはっきりと判る程度に汚れが落ちていた。ブラシを構成するヤーンは、洗浄前には主として先端付近に汚れが集中し、根元付近は殆ど汚れていないが、実施例の洗浄剤で洗浄した場合には、汚れが集中していた先端付近においても根元付近と殆ど変らない程度にまで洗浄されているのに対し、比較例の洗浄剤の場合には、先端付近の汚れが明らかに残っていた。